(57)【要約】【課題】取付構造が簡単でしかも取付作業を簡単に行うことができ、しかもＣＤプレーヤの音飛びを良好に防止することのできる粘性流体封入ダンパの取付構造を提供する。【解決手段】弾性を有する筒状の周壁部１６と、底部１８と、薄肉の可撓部２０及び撹拌部２２を有する粘性流体封入ダンパ１４の取付構造において、周壁部１６に環状の嵌込溝３７を設けて嵌込溝３７を支持フレーム１２の板状の保持部３４の固定孔３６に弾性的に嵌め込んで保持させるようにする。そして嵌込溝３７の溝底面の径方向寸法Ａを固定孔３６の径方向寸法よりも０．３ｍｍ以上大寸法となし、また嵌込溝３７の溝幅の寸法Ｂを保持部３４の板厚よりも０．２ｍｍ以上小寸法とする。【選択図】        図１
2006275182.tif 000002
【特許請求の範囲】
【請求項１】
(a）弾性を有する筒状の周壁部と、(b)該周壁部の軸方向の一端を閉鎖する状態に設けられた底部と、(c)該周壁部の該底部とは反対側の一端に該周壁部に連続して設けられた薄肉の可撓部と、(d)該可撓部の中心部に設けられ、該可撓部とともに前記周壁部の前記底部とは反対側の一端を閉鎖する撹拌部と、を有し、全体として密閉容器状をなして内部にシリコーンオイル等の粘性流体が封入され、前記撹拌部の該粘性流体に対する撹拌作用に基づいて、支持部材と被支持部材との間で振動吸収する粘性流体封入ダンパの取付構造であって
前記周壁部の外周面に沿って環状の嵌込溝を設けて、該嵌込溝を前記支持部材及び被支持部材の一方の板状の保持部に設けた板厚方向の貫通の固定孔に弾性的に嵌め込んで、それら嵌込溝と固定孔との嵌合力により該周壁部において前記粘性流体封入ダンパを保持させる一方、前記撹拌部を前記支持部材及び被支持部材の他方に連結して該粘性流体封入ダンパをそれら支持部材と被支持部材との間に介装するようになし、且つ前記嵌込溝の溝底面の径方向寸法を前記固定孔の径方向寸法よりも０．３ｍｍ以上大寸法となし、また該嵌込溝の溝幅の寸法を前記保持部の板厚よりも０．２ｍｍ以上小寸法となしたことを特徴とする粘性流体封入ダンパの取付構造。
【発明の詳細な説明】
【技術分野】
【０００１】
この発明はシリコーンオイル等の粘性流体を内部に封入して成る粘性流体封入ダンパの取付構造に関する。
【背景技術】
【０００２】
近年、ＣＤプレーヤ等のディスクプレーヤ，ＡＶ機器，パソコンのＨＤＤ装置，ビデオカメラ等の小型精密機器において、容器内部にシリコーンオイル等の粘性流体を封入して成る小型の粘性流体封入ダンパが、防振用として広く用いられるようになって来ている。
【０００３】
例えばＣＤプレーヤ等のディスクプレーヤ、特に車載用のものにおいては、車両等の振動がそのままディスクプレーヤの本体機構部ユニットに伝達されて音飛び等が生ずるのを防止すべく、従来、図３（Ａ）に示しているようにスプリング２００を介して支持したディスクプレーヤの本体機構部ユニット（被支持部材）２０２と、支持フレーム（支持部材）２０４との間に粘性流体封入ダンパ２０６を介装することが行われている。
【０００４】
図３（Ｂ）はかかる粘性流体封入ダンパ２０６として従来用いられているものの具体的な構造例を、その取付構造例として示したもので（下記特許文献１に開示）、図示のようにこの例の粘性流体封入ダンパ２０６は、密閉の容器の内部にシリコーンオイル等の高粘性の粘性流体２１０を封入した形態をなしている。
【０００５】
ここで粘性流体封入ダンパ２０６は、円筒形状の周壁部２１４と、周壁部２１４の軸方向の一端を閉鎖する底部２１６と、周壁部２１４の底部２１６とは他端側に周壁部２１４に連続して形成された薄肉の可撓部２２０と、可撓部２２０の中心部に設けられた撹拌部２１８とを有していて、それらによって密閉容器を構成しており、その内部に上記の粘性流体２１０が封入されている。
【０００６】
この粘性流体封入ダンパ２０６は、周壁部２１４を支持フレーム（支持部材）２０４に形成した貫通孔２２２内に嵌入させる状態で、底部２１６において固定ねじ２２４により支持フレーム２０４に固定されるようになっている。
【０００７】
撹拌部２１８には、内側に挿入孔２２６が形成されていて、そこに予め本体機構部ユニット（被支持部材）２０２にかしめ付固定された金属製の軸体２１２が挿入され、それら撹拌部２１８と軸体２１２とが粘性流体２１０内部に突入している。
この粘性流体封入ダンパ２０６の場合、支持フレーム２０４に振動が加わったとき、撹拌部２１８及び軸体２１２が高粘性の粘性流体２１０内部で相対変位し、これにより粘性流体２１０が粘性流動してエネルギー吸収（振動吸収）し、支持フレーム２０４から本体機構部ユニット２０２への振動伝達を遮断ないし抑制する。
【０００８】
しかしながらこの粘性流体封入ダンパ２０６の取付構造の場合、底部２１６を硬質に構成しておいて、底部２１６に締結孔２２８を有する固定部２３０を設け、周壁部２１４を貫通孔２２２に挿通させた上で、固定部２３０を固定ねじ２２４にて支持フレーム２０４にねじ締結しなければならず、粘性流体封入ダンパ２０６の取付構造が複雑化し、また取付作業も面倒である問題があった。
【０００９】
そこで、周壁部を弾性を有するものとなして、その周壁部の外周面に沿って環状の嵌込溝を設け、その嵌込溝を支持部材及び被支持部材の一方の板状の保持部に設けた、板厚方向の貫通の固定孔に弾性的に嵌め込んで、それら嵌込溝と固定孔との嵌合力により粘性流体封入ダンパを保持させるようになした取付構造が本発明者等によって考えられている。
【００１０】
このようにすれば粘性流体封入ダンパには周壁部に環状の嵌込溝を設けておくだけで良く、しかも取付けに際して周壁部を弾性変形させて嵌込溝を保持部の固定孔に弾性嵌合するだけで良いので、取付構造及び取付作業を簡素化することができる。
本発明者等は、この取付構造に従って粘性流体封入ダンパ及び板状の保持部を構成し、その際に嵌込溝と固定孔及び板状の保持部との間の隙間がゼロとなるように粘性流体封入ダンパ及び固定孔を含む板状の保持部の各部の寸法を設定したところ、以下のような問題の生ずることが判明した。
【００１１】
上記の取付構造において、粘性流体封入ダンパの取付け時に軸体及び固定孔の各中心位置が所定範囲内で位置誤差を生ずることを避けられないが、この場合粘性流体封入ダンパを取り付けたときに、それらの位置誤差に基づいて粘性流体封入ダンパの中心が固定孔の中心に対してずれた位置に取り付いてしまうことがあり、この場合嵌込溝と固定孔との間、或いは嵌込溝と板状の保持部との間に隙間を生ぜしめてしまう。
更にまた、軸体及び固定孔の各中心位置が正しく設定位置にあって、粘性流体封入ダンパが固定孔の中心位置に取り付けられていたとしても、振動の入力により隙間が発生してしまうことがある。
【００１２】
而してこのような隙間が生じると、粘性流体封入ダンパの振動吸収特性が悪化し、特に低周波域で大振幅で振動したときにＣＤプレーヤに音飛びを発生させ易くなってしまう問題を生ずることが判明した。
【００１３】
本発明はこのような問題を解決すべくなされたものである。
尚、下記特許文献２には粘性流体封入ダンパの周壁部に環状の溝を設けて、そこに固定用のホルダの折れ曲がった先端部を挿入し、そのホルダによって粘性流体封入ダンパの底部側を支持部材にねじ等の締結具にて締結するようになした点が開示されているが、このものは固定のためにホルダを用いている点で本発明とは異なったものである。
【００１４】
またこの特許文献２には、環状の溝とホルダの先端部との間に積極的に隙間を生ぜしめ、その隙間によって高周波振動を吸収するようになしており、この点でも特許文献２に開示のものは本発明とは別異のものである。
【００１５】
【特許文献１】特開２００３−１３９１８２号公報
【特許文献２】実開平６−２６０９８号公報
【発明の開示】
【発明が解決しようとする課題】
【００１６】
本発明は以上のような事情を背景とし、取付構造が簡単でしかも取付作業を簡単に行うことのできる粘性流体封入ダンパの取付構造を提供することを目的としてなされたものである。
【課題を解決するための手段】
【００１７】
而して請求項１のものは、(a）弾性を有する筒状の周壁部と、(b)該周壁部の軸方向の一端を閉鎖する状態に設けられた底部と、(c)該周壁部の該底部とは反対側の一端に該周壁部に連続して設けられた薄肉の可撓部と、(d)該可撓部の中心部に設けられ、該可撓部とともに前記周壁部の前記底部とは反対側の一端を閉鎖する撹拌部と、を有し、全体として密閉容器状をなして内部にシリコーンオイル等の粘性流体が封入され、前記撹拌部の該粘性流体に対する撹拌作用に基づいて、支持部材と被支持部材との間で振動吸収する粘性流体封入ダンパの取付構造であって、前記周壁部の外周面に沿って環状の嵌込溝を設けて、該嵌込溝を前記支持部材及び被支持部材の一方の板状の保持部に設けた板厚方向の貫通の固定孔に弾性的に嵌め込んで、それら嵌込溝と固定孔との嵌合力により該周壁部において前記粘性流体封入ダンパを保持させる一方、前記撹拌部を前記支持部材及び被支持部材の他方に連結して該粘性流体封入ダンパをそれら支持部材と被支持部材との間に介装するようになし、且つ前記嵌込溝の溝底面の径方向寸法を前記固定孔の径方向寸法よりも０．３ｍｍ以上大寸法となし、また該嵌込溝の溝幅の寸法を前記保持部の板厚よりも０．２ｍｍ以上小寸法となしたことを特徴とする。
【発明の作用・効果】
【００１８】
以上のように本発明は、粘性流体封入ダンパにおける周壁部の外周面に沿って環状の嵌込溝を設け、その嵌込溝を支持部材及び被支持部材の一方の板状の保持部に設けた固定孔に弾性的に嵌め込んで、それらの嵌合力により周壁部即ち粘性流体封入ダンパを保持させるようになし、且つその嵌込溝の溝底面の径方向寸法を固定孔の径方向寸法よりも０．３ｍｍ以上（望ましくは０．４ｍｍ以上）大寸法となし、また嵌込溝の溝幅の寸法を保持部の板厚よりも０．２ｍｍ以上小寸法となしたもので、本発明によれば簡単な取付構造，取付作業で粘性流体封入ダンパを取り付けることができる。
また本発明に従って粘性流体封入ダンパの嵌込溝の寸法を定めておくことにより、嵌込溝と固定孔或いは板状の保持部における板面との間に隙間が生じるのを良好に防止して、粘性流体封入ダンパの振動吸収特性を高め、特に音飛びの発生を効果的に防止できることが確認されている。
本発明では、周壁部をゴム製となし且つゴム硬さをＪＩＳ  Ｋ  ６２５３  タイプＡの硬度計でゴム硬度１０〜４０度となしておくことができる。
【００１９】
尚、嵌込溝における溝底面と固定孔との径方向の寸法差の上限値は１．０ｍｍとしておくことができる。
また嵌込溝の溝幅の寸法と、保持部の板厚との寸法差の上限値は０．５ｍｍとしておくことができる。
これら上限値よりもその寸法差を大きくした場合であっても、実験の結果音飛びに対する特性はそれ程向上せず、一方で寸法差が上記の上限値以上に大きくなると、粘性流体封入ダンパを保持部の固定孔に嵌込作業し辛くなる。
【発明を実施するための最良の形態】
【００２０】
次に本発明を車載用ディスクプレーヤの防振支持に適用した場合の実施形態を図面に基づいて詳しく説明する。
図１において、１０はディスクプレーヤにおける本体機構部ユニット（被支持部材）で、１２は支持フレーム（支持部材）である。
【００２１】
本体機構部ユニット１０は、支持フレーム１２により図示を省略するスプリングを介して弾性支持されている。
これら本体機構部ユニット１０と支持フレーム１２との間には、本実施形態の粘性流体封入ダンパ１４が介装されており、本体機構部ユニット１０と支持フレーム１２とが粘性流体封入ダンパ１４を介して結合（ここでは上下に結合）されている。
【００２２】
本実施形態において粘性流体封入ダンパ１４は、円筒形状の周壁部１６と、その軸方向の一端を閉鎖する底部１８と、周壁部１６の底部１８とは他端側に周壁部１６に連続して設けられた薄肉の可撓部２０と、可撓部２０の中心部に設けられ、可撓部２０とともに周壁部１６の底部１８の他端側を閉鎖する撹拌部２２とを有しており、全体として密閉容器状をなしていて、その内部にシリコーンオイル等の粘性流体２４が封入されている。
【００２３】
この粘性流体封入ダンパ１４は、撹拌部２２の粘性流体２４に対する撹拌作用に基づいて支持フレーム１２と本体機構部ユニット１０との間で振動吸収作用する。
尚本実施形態において、粘性流体封入ダンパ１４の本体部、即ち周壁部１６と底部１８と可撓部２０及び撹拌部２２はゴム製（ここではブチルゴム製）とされている。
【００２４】
撹拌部２２は、底付きの円筒形状をなしていて、その内側に挿入孔２６を有しており、そこに本体機構部ユニット１０に予め固設されている軸体２８が挿入され、撹拌部２２が軸体２８を介して本体機構部ユニット１０に連結されている。
軸体２８は、先端部に大径の頭部３０を有しており、これに対応して挿入孔２６には頭部３０を係合させる係合凹部３２が設けられている。
【００２５】
一方支持フレーム１２の板状の保持部３４には円形の固定孔３６が設けられており、これに対応して粘性流体封入ダンパ１４の周壁部１６には、その外周面に沿って環状の嵌込溝３７が設けられている。
【００２６】
粘性流体封入ダンパ１４は、この周壁部１６の嵌込溝３７を板状の保持部３４の固定孔３６に弾性的に嵌合させ、それらの嵌合力によって保持部３４により保持されている。
尚周壁部１６は、図中の上部１６Ａに対し下部１６Ｂが大径とされている。
また上部１６Ａには、周壁部１６を上部１６Ａ側から図中上向きに固定孔３６に嵌め込む際の案内をなす、テーパ形状のガイド面３８が形成されている。
【００２７】
本実施形態において、嵌込溝３７の溝底面の径方向寸法Ａは固定孔３６の径方向寸法に対し大寸法とされている。
また嵌込溝３７の溝幅の寸法Ｂは、保持部３４の板厚に対して小寸法とされている。
表１は、種々のゴム硬さの下でＡ寸法，Ｂ寸法を変化させて、粘性流体封入ダンパ１４の防振特性を測定した結果を示している。
ここでは、実際の車載用ディスクプレーヤを加振機の上に載せ、そして加振機により振動を加えて加速度を順次高めて行き、そして音飛びが発生したときの加速度を求めて、粘性流体封入ダンパ１４の振動吸収特性を評価した。
尚車載用ディスクプレーヤは、低周波数域で音飛びが発生する加速度が小さいことから、ここでは周波数１５Ｈｚで振動を加えたときの音飛びの発生を調べている。
【００２８】
【表１】
2006275182.tif 000003
【００２９】
図２は表１の結果を図化して表わしたものである。
これら表１及び図２の結果に見られるように、嵌込溝３７の溝底面の径方向寸法Ａについては、その値を固定孔３６の径方向寸法に対し大寸法とすることで、音飛び発生加速度の値が大きくなること、即ち音飛びが発生し難くなること、特にその寸法差を０．３ｍｍ以上、望ましくは０．４ｍｍ以上とすることで効果的に音飛びの発生を防止できることが分る。
また嵌込溝３７の溝幅の寸法Ｂについては、その値を保持部３４の板厚に対し小寸法とすることで音飛びが発生し難くなり、特にその寸法差を０．２ｍｍ以上とすることによって、効果的に音飛びの発生を防止できることが分る。
【００３０】
以上のように本実施形態は、粘性流体封入ダンパ１４における周壁部１６の外周面に沿って環状の嵌込溝３７を設け、その嵌込溝３７を支持フレーム１２の板状の保持部３４に設けた固定孔３６に弾性的に嵌め込んで、それらの嵌合力により周壁部１６即ち粘性流体封入ダンパ１４を保持させるようになし、且つその嵌込溝３７の溝底面の径方向寸法Ａを、固定孔３６の径方向寸法よりも０．３ｍｍ以上大寸法となし、また嵌込溝３７の溝幅の寸法Ｂを保持部３４の板厚よりも０．２ｍｍ以上小寸法となしたもので、これにより粘性流体封入ダンパ１４を簡単な取付構造，取付作業で取り付けることができ、また嵌込溝３７と固定孔３６或いは板状の保持部３４における板面との間に隙間が生じるのを良好に防止し得て、粘性流体封入ダンパ１４の振動吸収特性を高め、特に音飛びの発生を効果的に防止できる。
【００３１】
以上本発明の実施形態を詳述したがこれはあくまで一例示であり、本発明は上例以外の各種粘性流体封入ダンパに対して、更にはまた粘性流体封入ダンパを横向きに配置して被支持部材を支持する形式のものにも本発明の適用は可能であるなど、本発明はその趣旨を逸脱しない範囲において種々変更を加えた形態で構成可能である。
【図面の簡単な説明】
【００３２】
【図１】本発明の一実施形態の粘性流体封入ダンパの取付構造を示す縦断面図である。
【図２】同粘性流体封入ダンパの振動吸収特性を示す説明図である。
【図３】従来の粘性流体封入ダンパの取付構造を示す図である。
【符号の説明】
【００３３】
１０  本体機構部ユニット（被支持部材）
１２  支持フレーム（支持部材）
１４  粘性流体封入ダンパ
１６  周壁部
１８  底部
２０  可撓部
２２  撹拌部
２４  粘性流体
３４  保持部
３６  固定孔
３７  嵌込溝
【図１】
2006275182.tif 000004
【図２】
2006275182.tif 000005
【図３】
2006275182.tif 000006